(57)【要約】  本発明は、バックシートと、吸収性コアと、トップシートと、を含み、長さＬを有する使い捨て吸収性物品であって、前記トップシートは、開口部と、複数の第１の伸縮性区域と、湾曲したまたは角度を成した第２の伸縮性区域と、を含み、第２の伸縮性区域は半径が０．３Ｌ〜３．２Ｌである全体的な曲がりを有し、第１の伸縮性区域と股部側部の第２の伸縮性区域との間の平均横断方向距離が好ましくは少なくとも１５ｍｍである、使い捨て吸収性物品（例えばおむつ）に関する。
2008512204.tif 000002
【特許請求の範囲】
【請求項１】
バックシートと、吸収性コアと、トップシートと、を含み、長さＬを有する使い捨て吸収性物品であって、
前記トップシートは、
ａ）一対の対向する長手方向側縁部と；
ｂ）前側部分および後側部分と；
ｃ）前記前側領域の一部分および前記後側領域の一部分に存在する開口部であって、対向する長手方向側縁部および各長手方向側縁部に隣接する股部側部を有する開口部と、を有し、
前記開口部は、前記トップシートと前記吸収性コアとの間に配置され排泄物を受け入れるための空隙空間への通路をもたらし、
各股部側部は長手方向に延びる第１の伸縮性区域を含み、
前記トップシートの各股部側部は湾曲したまたは角度を成した第２の伸縮性区域を含み、第２の伸縮性区域は半径が０．３Ｌ〜３．２Ｌである全体的な曲がりを有する、使い捨て吸収性物品。
【請求項２】
各第２の伸縮性区域は、同じ前記股部側部の第１の伸縮性区域に横断方向に最も近接した地点を有し、
前記最も近接した地点から前記第１の伸縮性区域までの横断方向距離が０．５ｍｍ〜３０ｍｍであり、
前記第２の伸縮性区域と前記第１の伸縮性区域との間の平均横断方向距離が好ましくは少なくとも１５ｍｍである、請求項１に記載の吸収性物品。
【請求項３】
各股部側部が、第２の伸縮性区域と、最も近接した前記トップシートの長手方向側縁部と、の間に配置された第３の伸縮性区域を含む、請求項１に記載の吸収性物品。
【請求項４】
曲がりの半径は０．４Ｌ〜２．８Ｌである、請求項１に記載の吸収性物品。
【請求項５】
伸長状態において、前記開口部は前記トップシートおよび／または前記物品の平均幅の１０％〜２５％の平均幅を有する、請求項１に記載の吸収性物品。
【請求項６】
伸長状態において、各第１の伸縮性区域は、前側端部、後側端部、及び中央部分を有し、前記後側端部及び前側端部の両方が、前記トップシートの長手方向軸線に平行で且つ前記中央部分を通る線に対して、１０°〜４０°、好ましくは１７°〜３５°の角度を有する、請求項１に記載の吸収性物品。
【請求項７】
各第１の伸縮性区域は弾性バンドまたは複数の弾性ストランドの形態を取っており、前記バンドまたは複数のストランドは、３ｍｍ〜５０ｍｍ、更には５ｍｍ〜２０ｍｍの平均幅を有し、
各第２の伸縮性区域は、０．５ｍｍ〜２０ｍｍ、好ましくは０．５ｍｍ〜１０ｍｍの平均幅を有した、弾性バンドまたは複数の弾性ストランドの形態を取っている、請求項１に記載の吸収性物品。
【請求項８】
前記第１の伸縮性区域またはその一部、および、前記第２の伸縮性区域またはその一部の上にローションまたは摩擦低減粉末を含む、請求項１に記載の吸収性物品。
【請求項９】
前記物品が、非弾性的に横断方向に延伸可能なトップシートを有する耐垂れ下がり性のものである、請求項１に記載の吸収性物品。
【請求項１０】
成人用おむつ若しくは幼児用おむつ、または、トレーニングパンツである、請求項１に記載の吸収性物品。
【発明の詳細な説明】
【技術分野】
【０００１】
本発明は、バックシートと、吸収性コアと、トップシートと、を含み、長さＬを有する使い捨て吸収性物品であって、前記トップシートは、開口部と、第１の伸縮性区域と、湾曲したまたは角度を成したバンドの形態を取っている複数の第２の伸縮性区域と、を含み、各第２の伸縮性区域は半径が０．３Ｌ〜３．２Ｌである全体的な曲がりを有する、使い捨て吸収性物品（例えばおむつ）を対象とする。または
【背景技術】
【０００２】
おむつに関する周知の問題は、糞便、特に垂れやすい糞便が、使用中におむつから漏れる恐れがあることである。糞便がそこを介してトップシートと吸収性コアとの間の空間に移動することができる、１以上の開口部を有するトップシートを備えたおむつなど、糞便をより良好におむつに収容するための、一連の解決策が提案されてきた。そうしたおむつに生じる問題は、開口部を使用中に適切に配置することが困難であって、糞便が実際に開口部を通過し、特にユーザ（乳児）が動き回る場合に、開口部が使用中に閉じないようにすることである。
【０００３】
これまで、１または複数の開口部に沿って弾性バンドを有したトップシートを備えたおむつが開発されおり、そうしたおむつでは、弾性バンドが１または複数の開口部を配置し、且つ使用中に、開口部を適切な場所に保持する。例えば、米国特許第６，４８２，１９１号および米国公開公報第２００４／０１６２５３８Ａ１号は、そのようなおむつ、使用中の適合性が改善された開口部を備えた伸縮性トップシートを有するおむつを記載している。その後の開発によって、米国公開公報第２００４／０１９３１３４Ａ１号に記載されるように、おむつの残りの部分から完全に分離された伸縮性トップシートを有し、それにより、おむつが一杯になって重くなり、垂れ下がる傾向を有しても、トップシートが皮膚と接触したままのおむつがもたらされてきた。
【発明の開示】
【発明が解決しようとする課題】
【０００４】
しかしながら、発明者らは、当該技術分野において既知の耐垂れ下がり性のおむつなどを含む開口部を備えたおむつの適合性は、改善された機械横方向の弾性力も得られるような、特定の更なる第２の伸縮部を備えたトップシートによって更に改善できることが見出されており、それによって、開口部が使用中に開いたままで肛門に滑入せず、一方、開口部が肛門と一直線に並んだままであり肛門に十分に近接する（本明細書では、ユーザの皮膚に対するトップシートの「固着」と称する）ことが確実となる。該第２の伸縮部は、更なる密閉機能をもたらし、ＢＭがおむつから漏れるあらゆる危険性を更に低減する。
【課題を解決するための手段】
【０００５】
本発明は、バックシートと、吸収性コアと、トップシートと、を含み、長さＬを有する使い捨て吸収性物品であって、前記トップシートは、
ａ）一対の対向する長手方向側縁部と；
ｂ）前側部分および後側部分と；
ｃ）前記前側領域の一部分および前記後側領域の一部分に存在する開口部であって、対向する長手方向側縁部および各長手方向側縁部に隣接する股部側部を有する開口部と、を有し、
前記開口部は、前記トップシートと前記吸収性コアとの間に配置され排泄物を受け入れるための空隙空間への通路をもたらし、
各股部側部は長手方向に延びる第１の伸縮性区域を含み、
前記トップシートの各股部側部は湾曲したまたは角度を成した第２の伸縮性区域を含み、第２の伸縮性区域は半径が０．３Ｌ〜３．２Ｌである全体的な曲がりを有する、使い捨て吸収性物品をもたらす。
【０００６】
該吸収性物品は、好ましくは、垂れ下がりに耐久するおむつまたはトレーニングパンツである。
【発明を実施するための最良の形態】
【０００７】
本明細書で使用するとき、以下の用語は、以下の意味を有する。
【０００８】
本明細書で使用するとき、「吸収性物品」とは、体液を吸収することができ、ユーザの生殖器に近接して置かれるのに好適な、特に、成人用おむつまたは幼児用おむつ、およびいわゆるトレーニングパンツまたはプルアップパンツなどの、あらゆる物品を意味する。
【０００９】
本明細書で使用するとき、「前側領域」および「後側領域」は、使用中に、着用者の前側および着用者の後側に最も近接する各２つの領域を指す。
【００１０】
本明細書で使用するとき、「股部側部」は、開口部の長手方向側縁部とトップシートの長手方向側縁部との間の、トップシートの部分であり、従って、股部側部は、前側領域および／または後側領域の一部分であってもよい。
【００１１】
本明細書で使用するとき、用語「空隙空間」は、糞便物質などの身体排泄物を受け入れ収容するように働く、少なくとも弛緩状態にあるときに存在する物品内の空洞であり、典型的には、弛緩状態で少なくとも５ｃｍ３である。
【００１２】
本明細書で使用するとき、「長手方向」は、構成要素の最大直線寸法に、典型的には物品の長手方向軸線にほぼ平行な方向であり、これが適用される場合は、この平行線の３０°以内の方向を含む。
【００１３】
「横」または「横断」方向は、長手方向に直交し、物品および長手方向軸線の大部分と同一平面にあり、これが適用される場合は、直交線の３０°以内の方向を含む。
【００１４】
本明細書で使用するとき、「延伸性」および「延伸可能な」は、（弛緩位置にある）構成要素の幅または長さが増加できることを意味する。
【００１５】
本明細書で使用するとき、用語「取り付けられた」は、要素を第２の要素に直接固着することによって、第１の要素が別の要素に直接固定された構成を含む。
【００１６】
本明細書で使用するとき、用語「接合された」または「接続された」は、第１の要素を第３の中間部材（１または複数）に固着し、それを次に第２の要素に固着することによって、第１の要素が第２の要素に間接的に固定された構成を含む。
【００１７】
本明細書で使用するとき、「伸長した」または「伸長状態」は、物品またはそのトップシートが、その一部分である非伸縮性の延伸可能な構成要素、例えばバックシート、またはトップシートの非伸縮性の延伸可能な材料の長さによって典型的には決まる、その最大の長さまで伸長していることを意味する。
【００１８】
本明細書で使用するとき、横断方向の前縁部および後縁部が水平面上で平坦であり、横断方向の中心線または軸線が水平面上にあるような、「弛緩した」または「弛緩状態」は、物品が水平面上に置かれたときに、物品またはその構成要素に力（重力など自然に発生する力以外）が印加されていない状態を意味する。
【００１９】
本明細書で使用するとき、「伸縮性」は、典型的には、構成要素が、少なくとも一方向に弾性である弾性材料から成る、またはそれを含むことを意味する。本明細書で使用するとき、「非伸縮性」は、構成要素がいかなる弾性材料も含まないことを意味する。
【００２０】
本明細書で使用するとき、「〜に沿って」は、「少なくとも部分的に〜とほぼ平行に、および〜と隣接して」を意味する。隣接するとは、「〜と近接して」および「〜と接触して」を含む。
【００２１】
本明細書で使用するとき、「トップシートの開口部」は、トップシートに完全に囲まれているが、トップシート材料が存在せず、糞便物質を受け入れるように十分に大きく、典型的には長さまたは幅が少なくとも２ｃｍであるか、または少なくとも２ｃｍ２の表面積を有する区域を意味する。
【００２２】
本明細書で使用するとき、「耐垂れ下がり性」は、トップシートが、実質的に垂れ下がらず、後述するように、そのｚ方向、好ましくはｘ方向およびｙ方向の整列を維持することを意味する。
【００２３】
本発明の吸収性物品は、糞便物質を受け入れる、１以上の開口部であって、好ましくは単一の開口部を含む。好ましくは、開口部は、長手方向に延びる開口部、いわゆるスリット開口部の形態を取っている。開口部は、好ましくはトップシートの中央領域に存在し、任意に、トップシートの前側領域（使用中にユーザの前側に向く領域）および／または後側領域まで延びる。
【００２４】
好ましくは、トップシートは、トップシートおよびおむつの長手方向軸線にほぼ平行な長手方向寸法（長さ）を有する、スリット開口部を有する。
【００２５】
トップシートの開口部（１または複数）（伸長状態において）は、開口部の長さ（または複数の開口部の全長）の２０％〜４０％、またはより好ましくは２０％〜３０％が、トップシートの横断方向軸線からトップシートの前縁部に向かって延び（即ち、前側領域内に存在する）、且つ、残りの割合の部分がトップシートの後縁部に向かって延びる（即ち、後側領域内に存在する）ように構成されるのが好ましい。
【００２６】
開口部（１または複数）の寸法および正確な形状は、トップシートおよび／または吸収性物品のサイズによって変化してよい。例えば、好ましい一実施形態では、開口部は、ほぼ平行な長手方向側縁部を備えたスリット開口部の形態を取っている。好ましい一実施形態では、スリット開口部の長手方向側縁部は、前側および後側で、Ｖ字形の縁部または丸みを付けたＶ字形の縁部（各Ｖ字形の縁部は、角度を成した２つの縁部である）によって接続される。好ましくは、前側のＶ字形の縁部は、後側のＶ字形の縁部よりも大きな角度を有する。好ましくは、前側のＶ字形の縁部は、本明細書で後述するように、また図１、２、４、および５から分かるように、２０°〜１４０°、好ましくは４５°〜６５°、最も好ましくは５５°〜６０°の角度を有する。
【００２７】
図３および図６にも示すように、スリット開口部を形成するように作られたスリットは、本明細書で後述するように、任意に、例えば菱形の追加の切取り区域まで延びて、吸収性物品の前側領域において上記Ｖ字形の縁部を得てもよい。
【００２８】
スリット開口部の最大長さは、例えば、吸収性物品の全長Ｌの４０％〜９０％、またはより好ましくは５０％〜８０％、または更に好ましくは約６０％〜７０％であってよい。
【００２９】
トップシートの最大長さが４５ｃｍ〜５５ｃｍ（典型的には４８ｃｍ〜５２ｃｍ）である、特定のサイズ４のおむつでは、単一のスリット開口部の長さは、おむつの伸長状態において、２０ｃｍ〜４０ｃｍ、または２５ｃｍ〜３５ｃｍにも、または２８ｃｍ〜３２ｃｍにもなる。
【００３０】
本明細書の吸収性物品の開口部の平均幅は、伸長状態において、トップシートの平均幅（開口部を含む）の５％〜３０％、またはより好ましくは１０％〜２５％、またはより好ましくは約１５％であり、即ち、例えばサイズ４のおむつの場合、１５ｍｍ〜６０ｍｍ、より好ましくは２０ｍｍ〜４０ｍｍであるのが好ましい。
【００３１】
トップシートは、開口部（１または複数）の各長手方向側縁部に隣接して、股部側部（即ち、開口部の長手方向側縁部とトップシートの長手方向側縁部との間を各長手方向に延びる）を含み、その股部側部は各第１の伸縮性区域および第２の伸縮性区域を含み、それらは、横断方向平均距離で少なくとも１５ｍｍ、好ましくは少なくとも２０ｍｍ、更により好ましくは少なくとも２５ｍｍ、離間しているのが好ましい。同一の股部側部の第１および第２の伸縮性区域間の最小横断方向距離は、好ましくは０．５ｍｍ、または好ましくは少なくとも５ｍｍである。
【００３２】
第１の伸縮性区域は、開口部の長手方向側縁部またはその一部分に直接隣接しているのが好ましい。
【００３３】
好ましい第１の伸縮性区域は、米国公開公報第２００４／０１６２５３８Ａ１号に記載されている。
【００３４】
トップシートの伸縮性区域は、弾性材料である複数の薄いストランドから、または例えば弾性材料である単一のバンドから形成されてもよい。
【００３５】
第１の伸縮性区域は、好ましくは開口部よりも長い。第１の伸縮性区域は、好ましくは、トップシートの股部側部から、トップシートの前縁部および後縁部に向かって、またはそこまで、典型的にはトップシートの長さの少なくとも７０％を超えて延びる。例えば、サイズ４のおむつの場合、第１の伸縮性区域は、少なくとも３５ｃｍ、好ましくは３５〜４５ｃｍであってよい。
【００３６】
トップシート上における第１の伸縮性区域の幅は、典型的にはトップシートおよび／または物品の正確な寸法によって変化する。
【００３７】
例えば、上述したようなサイズ４のおむつの場合、第１の伸縮性区域は、伸長状態において、各伸縮性区域が、約３ｍｍ〜５０ｍｍ、好ましくは３ｍｍ〜４０ｍｍ、または更により好ましくは３ｍｍ〜２０ｍｍ、またはより好ましくは５ｍｍ〜２０ｍｍの平均幅を有するような、弾性バンドまたは複数の弾性ストランドであってもよい。
【００３８】
各第１の伸縮性区域は、対向する第１の伸縮性区域の中央部分に少なくとも部分的にほぼ平行であり得る、長さＬ２の中央部分を有するような形状にされ、長さＬ２をも伴い、Ｌ２は伸縮性区域の全長Ｌ１の３０％〜７０％である。ここで、伸縮性区域の全長Ｌ１は、トップシートの最大長さの約７０％〜９０％、または好ましくは約８０％〜９０％、または好ましくは約８５％であるのが好ましい。または２つの対向する第１の伸縮性区域の前端部は、（トップシートの平面において）互いから離れる方向に曲がっているのが好ましく、それにより、２つの対向する弾性区域の対向する前端末端部の間の距離は、２つの対向する弾性区域の中央部分間の距離よりも大きい。同様に、対向する第１の伸縮性区域の後端部は、互いから離れる方向に曲がり、且つ２つの対向する弾性区域の対向する後端部の末端部間の距離は、２つの対向する弾性区域の中央部分間の距離よりも大きいのが好ましい。
【００３９】
その結果、第１の伸縮性区域の各前端部は、典型的には、物品の長手方向軸線に平行であって、且つ中央部分の伸縮性区域を通る線に対して、１０°〜４０°、または好ましくは１７°〜３５°、または好ましくは２０°〜３５°の角度を有し、第１の伸縮性区域の各後端部はも、典型的には、物品の長手方向軸線に平行であって、且つ伸縮性区域の中央部分を通る線に対して、１０°〜４０°、または好ましくは１７°〜３５°、または好ましくは２０°〜３５°の角度を有する。前端部の両方および後端部の両方が上記のような角度を有する場合、第１の伸縮性区域は、本明細書で言及されるようにＸ字形を有し、好ましいＸ字形は、本明細書で後述するように、図１、２、４、および５に例示されている。
【００４０】
伸縮性区域の前端部および／または後端部および／または中央部分は、直線ではなく湾曲しているので、上記の角度は、前端部および／または後端部の中央点を通る接線と、トップシートの長手方向軸線に平行であって且つ伸縮性区域の中央部分の中央点に接する線との角度によって決定される。
【００４１】
発明者らはまた、着用者の身体へのトップシートの「固着」は、第１の伸縮部を配置するこの特定のやり方によって改善され得ることを見出した。
【００４２】
第１の伸縮性区域および第２の伸縮性区域は、トップシート材料内にあっても、またはトップシートの上面若しくは底面に取り付けられてもよい。好ましくは、これらは、ユーザの皮膚と直接接触しないようにされる。
【００４３】
各一対の第２の伸縮性区域は、少なくともトップシートの股部側部から成るが、好ましくは、各第２の伸縮性区域は、トップシートの横断方向の前縁部および後縁部に向かって、ただし典型的にはそれら縁部に達しない程度まで延びるのが好ましい。
【００４４】
第２の伸縮性区域は、半径が特定な曲がりを有する。本発明の目的のため、全体的な曲がりは、第２の伸縮性区域の２つの端点と、同じ股部側部の第１の伸縮性区域と横断方向に最も近接した同じ第２の伸縮性区域の地点（本明細書では、「最近点」と称する）とを通る曲線であり、そのため、２つの端点は必ず、前記最近点よりも第１の伸縮性区域から離れており、換言すれば、端点は最近点ではあり得ない。第２の伸縮性区域の端点は、本明細書では、トップシートの長手方向側縁部に横断方向に最も近接した、第２の伸縮性区域の横断方向末端部の地点である。この曲線は、半径Ｒを有し、長さは、吸収性物品の長さ（Ｌ）の０．３倍から物品の長さの３．２倍であり、即ち、半径は、０．３Ｌ〜３．２Ｌ、または好ましくは０．４Ｌ〜２．８Ｌである。
【００４５】
補足のため、第２の伸縮性区域の全体的な曲がりは第１の伸縮性区域から離れており、これは、典型的には、全体的な曲がりが、最近点が伸縮性区域の中央領域内に存在することを意味する。
【００４６】
従って、第２の伸縮性区域は、完全な曲線であってもよく、または、ある角度で互いに接続された２つの直線（本明細では「角度をなした」と称される）、若しくは変曲点を有する曲線（例えば図２に示すような）であってもよい。
【００４７】
この最近点から第１の伸縮性区域までの横断方向距離は、好ましくは少なくとも０．５ｍｍ、好ましくは０．５ｍｍ〜３０ｍｍ、更により好ましくは３．０ｍｍ〜２０ｍｍである。または各第２の伸縮性区域の端点は、好ましくはトップシートの長手方向側縁部に近接するが、トップシートの長手方向側縁部と接触しないのが好ましく、長手方向側縁部と端点との間の横断方向距離は、少なくとも５．０ｍｍ、好ましくは少なくとも１０ｍｍであるのが望ましい。好ましくは、第２の伸縮性区域の端点は、トップシートの横断方向縁部に近接するが、トップシートの横断方向末端部と接触しないのが好ましく、端点と、トップシートの横断方向末端部との間の長手方向距離は、トップシートおよび／または物品の全長の１〜２０％、より好ましくは５〜１５％、または更にはトップシートおよび／または物品の全長（長さＬ）の９％〜１３％であるのが好ましい。
【００４８】
好ましくは、股部側部の第１および第２の伸縮性区域との間の平均横断方向距離は、少なくとも１５ｍｍ、より好ましくは少なくとも２０ｍｍ、更に好ましくは少なくとも２５ｍｍであり、この平均は、（第２の伸縮性区域の）最近点から第１の伸縮性までの横断方向距離、（第２の伸縮性区域の）前側端点から第１の伸縮性区域までの横断方向距離、および（第２の伸縮性区域の）後側端点から第１の伸縮性区域までの横断方向距離という３つの距離の、即ち、第２の伸縮性区域の曲がりを決める３つの地点の３つの横断方向距離の平均である。
【００４９】
好ましくは、第２の伸縮性区域は、いかなる角度も含まず、単一の曲がりでその全長にわたって湾曲し、任意に変曲点を有する。
【００５０】
第２の伸縮性区域、例えば、弾性材料の複数のストランドまたは単一のバンドの平均幅は、好ましくは０．５〜２０ｍｍ、または更には０．５〜１０ｍｍである。
【００５１】
第２の伸縮性区域の長さは、物品およびそのトップシートの長さ、および必要な機械横方向（ＣＤ）弾性力によって、例えば、上述したような、必要な曲がりおよび第１の伸縮性区域までの必要な長さによって決まる。
【００５２】
トップシートは、好ましくは、１以上の第３の伸縮性区域を更に含む。第３の伸縮性区域は、従って、第２の伸縮性区域とトップシートの長手方向側縁部との間に存在しており、少なくとも５ｍｍ、または好ましくは少なくとも１０ｍｍ、またはより好ましくは少なくとも１５ｍｍの平均横断方向距離で、最も近接した第２の伸縮性区域から離間しているのが好ましい。
【００５３】
第３の伸縮性区域も、第２の伸縮性区域に関して上述したような全体的な曲がりで湾曲しているのが好ましいが、最小半径は０．１Ｌである。
【００５４】
本明細書における伸縮性区域は、典型的には、弾性材料の複数のストランドまたは単一のバンドの形態を取っており、平均厚さ（例えば、ゲージ）は、少なくとも２０ミクロン、より好ましくは少なくとも４０ミクロン、または更には少なくとも６０ミクロンから、典型的には、約３００ミクロン、または更には２００ミクロン、更には１５０ミクロンまでである。非常に好ましい材料は、約７０〜１００ミクロンの平均厚さを有する。
【００５５】
使用される好ましい弾性材料としては、トレデガー（Tredegar）から入手可能なＶＦＥ−ＣＤ、およびフルフレックス（Fulflex）（アイルランド、リムリック（Limerick））から入手可能なＬ−８６、Ｌ−８９、またはＬ−９０が挙げられる。
【００５６】
好ましくは、本明細書における伸縮性区域は、伸長状態または部分的な伸長状態において、伸縮性材料を、トップシートに取り付けることによって、または１以上の支持材料に取り付け、次にこの支持材料をトップシートに取り付けることによって形成される。
【００５７】
本発明の吸収性物品は、好ましくは耐垂れ下がり性であり、それに加えて、同時係属中の米国公開広報２００４／０１９３１３４Ａ１号に定義されているような、耐垂れ下がり性のトップシートを有することが好ましい。
【００５８】
このことは、バックシートおよび吸収性コアが、物品が受け入れた身体排出物の重量の増加によって垂れ下がっても、トップシートが垂れ下がらず、且つ、トップシートが、着用者の肛門領域および生殖器とのｚ方向の整列と、典型的にはｘおよびｙ方向の整列をも維持することを意味する。吸収性物品、好ましくはおむつまたはトレーニングパンツは、それに加えて、バックシートおよびコアがまだ垂れ下がっていない時に、着用者に物品を適用した直後の状態に比べて、バックシートおよびコアが垂れ下がっても、トップシートが着用者の肛門および／または生殖器領域とほぼ同じように接触または近接したままであることを確実にする手段を有する。典型的には、トップシートは、バックシートの幾何学的中心点が４ｃｍ引き下げられたときに、トップシートが０．５ｃｍを超えて、更には０．２５ｃｍを超えて下がらない程度、またはトップシートが全く下がらない程度、且つ／または、開口部の長手方向側縁部が、０．５ｃｍを超えて、好ましくは０．２５ｃｍを超えてｘおよびｙ方向に動かないか、若しくは全く動かないように、耐垂れ下がり性である。
【００５９】
トップシートの長手方向側縁部は、当該技術分野で既知のいずれかの取り付け手段によって、バックシートの長手方向縁部に接合されるか、または取り付けられて、長手方向の対向する取り付け区域を形成するのが好ましい。本発明の好ましい一実施形態では、トップシートおよびバックシートは、いくつかの場所で互いに直接取り付けられ、別の場所で間接的に接合される。
【００６０】
好ましくは、開口部の幅を包含するトップシートの平均幅は、上述した、トップシートがバックシートに取り付けられた長手方向区域の間の平均距離よりも長い。開口部の幅を含むトップシートの平均幅は、バックシートの平均幅よりも長いことも、好ましい場合がある。トップシートは、例えば、使用の際に広げることができ、且つ、トップシートを適所に保持したままでコアおよびバックシートが垂れ下がるようにすることができる、１以上の横断方向の折り畳み部、および／またはより好ましくは長手方向の折り畳み部を有してもよい。
【００６１】
本明細書のトップシートは、液体または尿を透過させるまたは透過させないものであってよい。トップシートは、一方向には液体または尿を透過させるが、逆方向には液体または尿を透過させないものであって、例えば、体液がトップシートを通っておむつの残りの部分まで浸透してもよいが、液体（尿）が、着用者の皮膚に向かう逆方向には、全くまたは少量しか浸透できないものであることが好ましい場合がある。
【００６２】
ただし、非常に好ましい一実施形態では、トップシートまたは少なくとも５０％を超える表面積（使用中に着用者に面する）疎水性である。またはトップシートは、尿不透過性および糞便不透過性であるのが好ましい。それに加えて、トップシートは、例えば、後述する試験方法で測定されるように、第１の噴出に対して１２０秒を越えるしみ通し時間を有する材料で作られる。本明細書の好ましいトップシートは、尿不透過性および糞便不透過性であると考えられ、従って、好ましくは同時係属中の出願ＥＰ−Ａ−１４１７９４５に記載されているような表面エネルギー値、孔径、および空気透過性の、低い表面エネルギーおよび均一な孔径分布を有する場合に、本明細書に好適である。好ましい材料は、少なくとも７、より好ましくは少なくとも８、更に好ましくは少なくとも９、更により好ましくは少なくとも１０の撥アルコール性を備え、好ましくは２５ｍＮ／ｍ未満の表面エネルギーを有し、好ましくは１３０°を超える水との接触角を有し、且つ、好ましくは、２０ミクロン未満、好ましくは少なくとも１７ミクロン未満、または最も好ましくは１３ミクロン未満であるのが望ましいが、好ましくは少なくとも２ミクロン、好ましくは少なくとも５ミクロンの平均孔径を有する。好ましくは、トップシートは、少なくとも３ダルシー、または好ましくは少なくとも１０ダルシー、またはより好ましくは少なくとも２０ダルシー、または更により好ましくは少なくとも３０ダルシー、または更に最も好ましくは５０ダルシーの空気透過性を有する。
【００６３】
それに加えて、本明細書の好ましいトップシートは、（着用者の皮膚をおむつの残りの部分に収容された液体から隔離するため）疎水性材料で作られるか、または、例えば疎水性の表面コーティングを用いて疎水性になるように処理される。好ましい疎水性の表面コーティングは、例えば、２００５年２月１０日出願の、同時係属中の米国出願第１１／０５５７４３号に記載されている。好ましくは、疎水性の表面コーティングは、１以上のシリコーンポリマーまたはフッ素化ポリマーを含む。好ましいシリコーンポリマーは、例えば、シリコーンＭＱ樹脂、ポリジメチシロキサン（polydimethysiloxanes）、架橋されたシリコーン、シリコーン液体エラストマー、およびそれらの組み合わせから成る群から選択される。典型的には、こうしたシリコーンポリマーの分子量は、少なくとも約４０００ＭＷ、好ましくは少なくとも約１０，０００ＭＷ、より好ましくは少なくとも約１５，０００ＭＷ、更により好ましくは少なくとも約２０，０００ＭＷ、および最も好ましくは少なくとも約２５，０００ＭＷであるべきである。好ましいポリジメチルシロキサンは、ビニル末端ポリジメチシロキサン（vinyl-terminated polydimethsiloxanes）、メチルヒドロジェンジメチルシロキサン、ヒドロキシル末端ポリジメチシロキサン（hydroxyl-terminated polydimethysiloxanes）、有機変性ポリジメチルシロキサン、およびそれらの組み合わせから成る群から選択される。好適なフッ素化ポリマーは、テトラフルオロエチレンおよび／またはペルフルオロアルキル鎖を含有するテロマーおよびポリマーから成る群から選択される。例えば、デュポン（Dupont）からゾニル（Zonyl）（登録商標）の商標名で市販されているフッ素化界面活性剤が、本明細書で使用するのに好適である。特に、ゾニル（Zonyl）（登録商標）３２１、３２９、８７４０、９０２７、および９３６０は、本発明に用いるのによく適している。更に、微細粉末などのフルロ添加剤を含む他のゾニル（Zonyl）（登録商標）材料が、本明細書に有用な場合がある。これらとしては、ゾニル（Zonyl）（登録商標）ＭＰ１１００、ＭＰ１２００、ＭＰ１４００、ＭＰ１５００Ｊ、ＭＰ１６００Ｎ、ＴＥ−３６６７Ｎ（水分散液）が挙げられるが、それらに限定されない。好ましくは、コーティングはアミノシリコーン類を含まない。
【００６４】
これらの材料は、好ましくは、少なくとも約０．０１ｇｓｍ（材料のグラム数／トップシート１平方メートル）以上、より好ましくは少なくとも約０．０５ｇｓｍ以上、更に好ましくは少なくとも約０．１ｇｓｍ以上の量で、トップシート上に堆積される。
【００６５】
好ましいトップシートは、天然繊維（例えば、木材繊維または綿繊維）または合成繊維（例えば、ポリエステル繊維、ポリエチレン繊維、および／またはポリプロピレン繊維）の織布ウェブまたは不織布ウェブ、または天然繊維と合成繊維の組み合わせなど、広範囲にわたる材料から製造されてよい。トップシートが繊維を包含する場合、繊維は、例えば、スパンボンド、カーディング、湿式載置、メルトブローン、湿式交絡、または当該技術分野で既知の他の方法で処理されてもよい。
【００６６】
材料は、従順で、感触が柔らかく、且つ着用者の皮膚に刺激がないものが好ましい。
【００６７】
非常に好ましいのは、複数のスパンボンド層（Ｓ）およびメルトブローン層（１または複数）（Ｍ）を含み、その表面がスパンボンド層（１または複数）で形成されたウェブである。ウェブは、坪量が比較的高い、例えば２５グラム／ｍ２（ｇｓｍ）超過のものであって、例えば、
３４ｇｓｍのＳＭＭＳ（１２ｇｓｍのメルトブローンおよび５ｇｓｍのスパンボンド）；３４ｇｓｍのＳＭＭＳ（１０ｇｓｍのメルトブローンおよび７ｇｓｍのスパンボンド）；３０ｇｓｍのＳＭＭＳ（１０ｇｓｍのメルトブローンおよび５ｇｓｍのスパンボンド）；３０ｇｓｍのＳＭＭＳ（８ｇｓｍのメルトブローンおよび７ｇｓｍのスパンボンド）、３４ｇｓｍのＳＭＭＳ（２０ｇｓｍのメルトブローンおよび７ｇｓｍのスパンボンド）；または、例えば、上述した１７ｇｓｍのＳＭＭＳの二層を含むウェブが好ましい。
【００６８】
トップシートの任意の部分が、当該技術分野において既知であるローションまたは粉末でコーティングされてもよい。少なくともローションが、第１の伸縮性区域上に、更に好ましくは第２の伸縮性区域上に存在するのが望ましい場合がある。１つの伸縮性区域上に使用されるローションは、別の伸縮性区域上、またはトップシートの残りの部分上に使用されるローションと異なっていてもよい。ローションの例としては、ローションが弾性材料と適合性があり、弾性材料を破壊またはその弾性を低減しないという条件で、米国特許第５，６０７，７６０号、米国特許第５，６０９，５８７号、米国特許第５，６３５，１９１号、米国特許第５，６４３，５８８号、およびＰＣＴ国際公開特許ＷＯ９５／２４１７３号に記載されているものが挙げられる。
【００６９】
吸収性物品は、使用中に生殖器を覆い、生殖器が糞便で汚れないように保護する、生殖器カバーシートを含んでもよい。生殖器カバーシートは、好ましくは、トップシートの開口部の下、その中、またはその上に、典型的には、使用中に生殖器と近接する開口部の部分、即ち開口部の前側領域にのみ存在する。好ましくは、開口部の上、その中、またはその下に存在する生殖器カバーシートの生殖器にあたる部分の最大の長さは、開口部の最大の長さの１０％〜５０％、好ましくは１０％〜３０％、またはより好ましくは１３％〜２８％、または更により好ましくは１７％〜２７％である。換言すれば、開口部の最大の長さのうち多くとも５０％が生殖器カバーシートの最も長い部分で「覆われる」一方、開口部の最大の長さの少なくとも１０％が生殖器カバーシートの最も長い部分で覆われる。
【００７０】
好ましくは、生殖器カバーシートは、直線ではなく好ましくは湾曲しているかＶ字形（矢形状）の開口部であって、湾曲縁部またはＶ字形縁部の残りの部分よりも物品の前部に近接した、湾曲縁部またはＶ字形縁部の中央点を有する開口部の上、その中、またはその下に、ほぼ横断方向の縁部を有する。従って、この中央点から開口部の前部までの生殖器カバーシートの部分の長さは、好ましくは開口部の最大の長さの１３％〜２７％、より好ましくは１５％〜２０％である。
【００７１】
生殖器カバーシートが、好ましくはトップシートの上且つ開口部の下、即ちトップシートと吸収性コアとの間に存在する場合、トップシートと吸収性コアとの間、且つ生殖器カバーシートと吸収性コアとの間に、糞便物質のための最大空隙空間を確実に形成するために、生殖器カバーシートは、典型的には吸収性コアに取り付けられない。
【００７２】
好ましくは、生殖器カバーシートは、トップシートに部分的に取り付けられて、それによって、複数の取り付け区域と、典型的には開口部の上、その中、またはその下にある非取り付け区域（１または複数）とを形成する。非取り付け区域（１または複数）は、その結果、典型的にはポケットの形態を取っており、生殖器のための生殖器保護カバーを形成する。
【００７３】
生殖器カバーシートは、長手方向または横断方向のどちらかまたはその両方に延伸可能なので、生殖器カバーシートにかかる生殖器の圧力により、生殖器カバーシートが延伸し、生殖器の周囲に（部分的に）配置されるポケットを形成する。生殖器カバーシートは弾性的に延伸可能であってもよく、または、好ましくは、生殖器カバーシートは、長手方向に、且つ／またはより好ましくは横断方向に、非弾性的に延伸可能であってもよい。それに加えて、生殖器カバーシートは、一対の対向する取り付け区域によって、上述したように本明細書では１以上の非取り付け区域を有して、例えばトップシートに取り付けられるのが好ましく、一対の取り付け区域間の、生殖器カバーシートの非取り付け区域（１または複数）の平均幅は、２つの取り付け区域の間の平均距離（幅）よりも大きく、好ましくは少なくとも１．２倍、更には１．５倍大きい。
【００７４】
本発明の更に別の実施形態では、生殖器カバーシートは、開口部と一体のトップシートの部分であってもよい。その結果、本明細書では、生殖器カバーシートはトップシートの生殖器被覆部分と称される。この一体の生殖器カバーシートまたは生殖器被覆部分は、従って、尿透過性であり、トップシートの残りの部分（糞便保持部分）は、本明細書で後述するように尿不透過性である。尿透過性の生殖器被覆部分は、トップシートの前側領域内、好ましくはトップシートの前縁部と開口部の前縁部との間に存在するとともに、トップシートの後側領域の一部分は、前記開口部および糞便保持部分を含む。
【００７５】
その結果、生殖器被覆部分は、典型的には、トップシートの表面積の前側１０％〜５０％、またはより好ましくは１５％〜３０％、またはより好ましくは２０％以下であり、一方、トップシートの後側部分である糞便物質保持部分は、トップシートの表面積の残りの百分率部分になる。
【００７６】
トップシートの生殖器被覆部分は、好ましくは（少なくとも）横断方向に延伸可能であることも、好ましい可能性がある。
【００７７】
生殖器カバーシートは好ましくは尿透過性である。尿透過性は、しみ通し試験であるエダナ（Edana）試験方法１５０．３−９６によって測定することができ、この試験方法は、２回の噴出の間に６０秒の待機時間を設けて同じサンプルに（吸収性パッドを交換せずに）５ｍＬの噴出を２回行い、また、吸収性パッドが５プライではなく１０プライの濾紙から成るように修正されており、使用される濾紙は、アールストローム（Ahlstroem）の等級９８９のものまたはその同等物であってよく、ピックアップ紙は、アールストロームの等級６３２のものまたはその同等物であってよい。この修正されたエダナ試験方法により、第１の噴出および第２の噴出のしみ通し時間が得られ、それらは、各３回の試験で得られた値の平均である。
【００７８】
典型的には、生殖器カバーシートは、第１の噴出のしみ通し時間が、７秒未満、好ましくは５秒未満、またはより好ましくは３秒未満、および最も好ましくは１〜３秒、または最も好ましくは１〜２秒である、平均尿透過性を有する。好ましくは、生殖器カバーシートは、第２の噴出のしみ通し時間が、９秒未満、好ましくは７秒未満、またはより好ましくは更に５秒未満、および好ましくは１〜７秒、またはより好ましくは２〜５秒である。
【００７９】
好ましくは、生殖器カバーシートは、水分が通過して皮膚に戻るのを防ぎ、それに加えて、好ましくは低い再湿潤性を有する。このことは、濡れ戻り試験（Wetback Test）であるエダナ（Edana）試験方法１５１．３−０２によって、エダナ試験で指定されている２３℃および湿度５０％の試験条件で、且つ指定されている３．３０の充填率を有する濾紙を用いて測定し、その結果、３回の試験結果の平均である平均再湿潤値を得ることができる（使用される濾紙は上記に指定したものであってよい）。０．８ｇ未満、好ましくは０．５ｇ未満、より好ましくは０．３ｇ未満、または更により好ましくは０．２ｇ未満、または更には０．１５ｇ未満の平均再湿潤値を有するのが望ましい。
【００８０】
生殖器カバーシートは、低粘度の糞便物質がそれを通過し、巻き込み、それによって生殖器を前記糞便物質から保護することが好ましい可能性もある。それに加えて、生殖器カバーシートは、大きな孔および大きなキャリパーの材料、例えば、平均孔径が５０〜４００ミクロン、より好ましくは１００〜３００ミクロンであって、平均キャリパーが０．５〜１．５ｍｍ、好ましくは０．７ｍｍ〜１ｍｍである、例えばＰＥＴ繊維で作られた、カーディングされ樹脂結合された不織布または空気透過性不織布などの材料から形成されるのが好ましい。
【００８１】
好ましい生殖器カバーシートは、それに加えて、親水性であり、または親水性を持たせるために親水化剤で処理される。生殖器カバーシートに好ましい材料は、親水性繊維を含む不織布材料および織布材料、および／または、親水化剤、例えば界面活性剤で処理された不織布材料または織布材料である。
【００８２】
好ましい生殖器カバーシートは、また、手触りが柔らかい。それに加えて、少なくとも生殖器と接触する表面が、カーディングまたはスパンボンドされた材料で形成されるのが好ましい場合がある。
【００８３】
例えば、スパンボンド不織布、スパンボンド不織布（Ｓ）とメルトブローン不織布（Ｍ）の積層体（ＳＭ積層体およびＳＭＭＳ積層体など）、またはカーディングされた不織布、或いは、各界面活性剤でコーティングされていてもよい、有孔フィルムおよび／または成形フィルム（たとえば、米国特許第６，２３１，９４８号、米国特許第６，１８０，０５２号、および米国特許第６，０２５，０４９号に記載されているものなど）が好ましい。
【００８４】
吸収性物品は、また、当該技術分野で既知のような、典型的には液体布透過性のバックシートを含む。好ましい実施形態では、液体布透過性のバックシートは、厚さ約０．０１．ｍｍ〜約０．０５ｍｍの熱可塑性フィルムなどの、薄いプラスチックフィルムを含む。好適なバックシート材料は、典型的には、蒸気がおむつから逃げることができる一方で、依然として排出物がバックシートを通過するのを防ぐ、通気性材料を含む。好適なバックシートフィルムとしては、トレデガー・インダストリーズ社（Tredegar Industries Inc.）（インディアナ州テレホート（Terre Haute）製の、Ｘ１５３０６、Ｘ１０９６２、およびＸ１０９６４の商標名で販売されているものが挙げられる。
【００８５】
バックシートまたはその任意の部分は、１以上の方向に弾性的に延伸可能であってよい。
【００８６】
バックシートは、トップシート、吸収性コア、またはおむつの他のどの要素にも、当該技術分野において既知の取り付け手段により取り付けるまたは接合することができる。トップシートとバックシートの長手方向側縁部は互いに直接取り付けられるが、トップシートとコアの長手方向縁部は互いに取り付けられないことが、非常に好ましい場合がある。
【００８７】
トップシートとバックシートだけではなく、本明細書の生殖器カバーシートも取り付ける取り付け手段は、均一な接着剤の連続層、接着剤の模様付きの層、または、米国特許第４，５７３，９８６号に記載されているような、接着剤の分離した線、螺旋、若しくは点の列を含むことが可能である。満足のいくものであることが分かっている接着剤は、Ｈ．Ｂ．フラー社（H.B.Fuller Company）（ミネソタ州セントポール（St. Paul））製の、ＨＬ−１６２０およびＨＬ−１３５８−ＸＺＰとして市販されているものである。別の方法として、取り付け手段は、熱接着、圧力接着、超音波接着、動的機械的接着、または当該技術分野で既知の他のあらゆる好適な取り付け手段、若しくはこれら取り付け手段の組み合わせを含んでもよい。
【００８８】
吸収性コアは、粉砕木材パルプ、縮みセルロース詰め物（creped cellulose wadding）、コフォームを包含するメルトブローンポリマー、化学的に剛化、変性、または架橋されたセルロース性繊維、ティッシュラップおよびティッシュラミネートを包含するティッシュ、吸収性発泡体、吸収性スポンジ、超吸収性ポリマー、吸収性ゲル材料、またはあらゆる既知の他の吸収性材料若しくは材料の組み合わせなど、一般に、圧縮性で、従順であり、着用者の皮膚に対して刺激がなく、且つ尿を吸収し保持できる、あらゆる吸収性材料を含んでもよく、吸収性ゲル材料の吸収性コア容積（例えば、コアラップを除く）の８０重量％超過を含む吸収性貯蔵層を有し、好ましくはエアフェルトを含まない、即ち１００％吸収性ゲル材料である、吸収性コアが好ましいことがある。
【００８９】
吸収性物品は、また、トップシートと吸収性コアとの間に配置された、身体排泄物、典型的には糞便物質を受け入れ、且つ／または固定化することができる副層を包含してもよい。副層として使用するのに好適な材料としては、大きな開放セルの発泡体、マクロ孔質の耐圧縮性嵩高不織布、大きなサイズの粒子状の開放気泡発泡体および閉塞気泡発泡体（マクロ孔質および／またはミクロ孔質）、嵩高不織布、ポリオレフィン、ポリスチレン、ポリウレタン発泡体または粒子、垂直方向に配向された、好ましくはループ状の、多数の繊維のストランド、または、生殖器カバーシートに関連して上述したような、好ましくは孔あき成形フィルムを含む構造を挙げることができる。（本明細書で使用するとき、用語「ミクロ孔質」は、毛管現象によって流体を移送することができるが、５０ミクロンを越える平均孔径を有する材料を指す。用語「マクロ孔質」は、流体を毛管移送するには大き過ぎる孔を有し、一般に直径が約０．５ｍｍ（平均）よりも大きい孔、より具体的には、直径が約１．０ｍｍ（平均）よりも大きいが、典型的には１０ｍｍ未満、更には６ｍｍ（平均）未満である孔を有する材料を指す。
【００９０】
本明細書の吸収性物品は、好ましくは、使い捨ての、成人用若しくは幼児用おむつ、またはトレーニングパンツ／プルアップパンツである。本発明のおむつまたはトレーニングパンツは、サイドパネル、および／または、より好ましくは、液体および他の身体排出物の、改善された収容性をもたらす、１以上の一対の伸縮性レッグカフを有してもよい。レッグカフは、米国特許第３，８６０，００３号；米国特許第４，８０８，１７８号および第４，９０９号；米国特許第４，６９５，２７８号および第４，７９５，４５４号に記載されているように、レッグバンド、サイドフラップ、バリアカフ、または弾性カフと称されることもある。
【００９１】
本明細書のおむつは、当該技術分野において既知のように、典型的には腰部バンドに接合された、締着装置を有するのが好ましい。好ましい締着装置は、締着タブおよびランディング領域を含み、締着タブは、おむつの後側領域に取り付けられるか、または接合され、ランディング領域はおむつの前側領域の一部分である。
【００９２】
本発明のおむつの作製プロセス
典型的には長手方向軸線に沿った開口部、第１の伸縮性区域、および生殖器カバーシートを備えたトップシートは、次のように得ることが可能である。
【００９３】
長手方向に延びる（スリット）開口部は、トップシート材料に最初に形成されて（切り込まれて）もよく、弾性バンドが開口部の各長手方向縁部に隣接して、または近接して存在するように、伸長状態で、１対の第１の弾性バンドがトップシートに取り付けられる。別の方法として、第１の弾性バンドが、トップシート全体にわたって長手方向に延びるように、例えばＸ字形で、伸長状態でトップシートに最初に取り付けられ、その後、長手方向に延びる（スリット）開口部が、典型的にはトップシート材料およびストランドまたはバンドの長手方向軸線に沿って、トップシート材料の一部分および弾性バンドの一部分を通って形成される（切り込まれる）。
【００９４】
第１の弾性ストランドまたはバンドを取り付けるのに好ましい接着剤としては、ＡＴＯ−フィンドレー（ATO-Findley）から入手可能なＨ２０３１およびＨ．Ｂ．フラー（H.B. Fuller）（米国、セントポール（St Pauls））から入手可能なＨＬ−１６２０が挙げられる。
【００９５】
非限定的な例では、フルフレックス（Fulflex）から入手可能なＬ−８９弾性材料の、（弛緩状態で）厚さ約０．１ｍｍ、幅約２０ｍｍ、および長さ１７ｃｍの２つの弾性バンドと、例えばファイバーフレックス（Fiberflex）、ＢＢＡ、およびペガス（Pegas）から入手可能な、ポリプロピレン不織布材料のシートとが得られる。
【００９６】
伸長状態において、長さ２５ｃｍ〜３５ｃｍ、典型的には約３１ｃｍ〜３３ｃｍのスリット開口部が、不織布に切り込まれる。これは、スリットとして切り込まれて、スリット開口部が拡張する伸縮性区域によってその幅を得てもよく、または、スリット開口部は、例えば４．０ｃｍまでの幅寸法で切り込まれてもよい。典型的には、スリット開口部は幅寸法を有さないスリットとして切り込まれるが、トップシートの前側領域およびスリット開口部の前側地点では、図３および６に見られるように、更に菱形の切り込みが作られる。
【００９７】
弾性区域が、ユーザの皮膚と接触するトップシートの表面上にある場合、弾性区域が皮膚と直接接触するのを避けるため、更なる層、例えば不織布材料が、弾性区域上に置かれることが望ましいことがある。
【００９８】
第１の弾性バンドの９ｃｍの中央部分は、元の長さの３３６％まで伸長され、次にトップシート材料に取り付けられる。２つの４ｃｍの端部は非伸長状態で取り付けられる。１つの弾性バンドは、伸長状態で、不織布の開口部の各長手方向縁部に接着される。
【００９９】
各弾性バンドは、Ｘ形状で、１つの弾性バンドの前側端部領域が対向する弾性バンドの前側端部領域から離れる方向に曲がり、１つの弾性バンドの後側端部領域が対向する弾性バンドの後側端部領域から離れる方向に曲がるような形で、不織布上に接着される。これは、適用後に、前側端部領域の縁部間の横断方向距離が、伸長状態で例えば８０ｍｍであり、バンドの中央点間の横断方向距離が、伸長状態で４０ｍｍであるように行われる。
【０１００】
上述したような、図２、３、５、および６に角度αとして見られるような、前側端部領域と、弾性バンドの中央領域を通り、トップシートの長手方向軸線と平行な長手方向線との角度は、例えば約２０°である。上述したような、且つ図２、３、５、および６に角度βとして見られるような、後側端部領域の角度も、例えば約２０°である。
【０１０１】
第１の伸縮性区域の末端部から、吸収性物品の横断方向前縁部までまたは吸収性物品の横断方向後縁部の該当するどちらかまでの長手方向距離は、典型的には約５０ｍｍである。
【０１０２】
次に、第２の弾性バンドが、本明細書に記載したように湾曲するようにして、各第１の弾性バンドとトップシートの最も近接する長手方向縁部との間で、トップシートに取り付けられる。
【０１０３】
次に、生殖器カバーシートが、開口部の前側１５％〜３０％が生殖器カバーシートで覆われるようにして、伸長状態のトップシートに取り付けられてもよい。生殖器カバーシートは、好ましくは、開口部の上に湾曲したまたはＶ字形の縁部を有する。生殖器カバーシートは、例えば、トップシートの長手方向縁部と第１の弾性バンドの各間に、例えば前記弾性バンドから約０．５〜１．５ｃｍ離間して存在する、接着剤の少なくとも２つの長手方向区域（線、らせん、点）で、ユーザの皮膚と接触しないトップシートの表面に取り付けられる。２つのほぼ平行な取り付け区域の間の距離は、最大で、それらの区域の間の生殖器カバーシートの幅の約半分なので、生殖器カバーシートは、使用中、生殖器用のポケットとして開口部の下で下向きに垂れ下がる。
【０１０４】
トップシートは、９．５〜１７ｋｇ（２１〜３７ポンド）の範囲の体重の乳児向けに設計された、パンパースプレミアム（Pampers Premium）のサイズ４のおむつに使用されてもよく、または、吸収性コアの上にあり且つ使用中に乳児の皮膚と接触する、パンパースプレミアムのサイズ４のおむつの層と置き換えてもよい。それに加えて、弾性バンドを備えたトップシートは、前側および後側の腰部バンドに、および典型的にはバックシートの長手方向側縁部に取り付けられる。
【０１０５】
図面の説明
各図１および図４は、前側領域（２１）および後側領域（２２）、並びに前記トップシートの開口部（１４）を備えた、本発明の好ましい吸収性物品（１０）、即ちおむつ（１０）の斜視図を示す。空隙空間（１５）は、吸収性コア（１３）とトップシート（１１）との間に存在する。
【０１０６】
おむつ（１０）は、典型的には、締結具（１８）を備えた一対の耳部を有した後側腰部バンドと、締結具の受け入れ区域を有し他前側腰部バンド（１９）も含む。典型的には、締結具はフックおよび／または接着剤を含み、受け入れ区域は、好ましくはループを含む材料から形成される。
【０１０７】
上述したように、トップシート（１１）は、典型的には耐垂れ下がり性且つ非弾性的に延伸可能であり、それに加えて、好ましくは、１以上の横断方向の折り畳み部、および／または、より好ましくは長手方向の折り畳み部（１７）を有する。
【０１０８】
トップシート（１１）は伸縮性であり、開口部（１４）の長手方向側縁部（１６）に沿って配置された第１の伸縮性区域（３１）を有する。トップシート（１１）はまた、第２の伸縮性区域（３２）を有し、更に、第３の伸縮性区域（図示なし）をも有してよい。第２の伸縮性区域（３２）は、実質的に湾曲し、本明細書に定義し且つ図３に示すように、Ｒの曲がり半径を有する。
【０１０９】
図４に示される第２の伸縮性区域（３２）は、トップシート（１１）の後側領域（２２）に向かって変曲点を有する。
【０１１０】
第１の伸縮性区域（３１）は、各中央領域を有し、この一対の中央領域は好ましくは互いにほぼ平行であり、また、各中央領域は、典型的には第１の伸縮性区域（３１）の全長Ｌ１の約３０％〜７０％、好ましくはスリット開口部の最大の長さの約４０％〜８０％である、長さＬ２を有する。第１の伸縮性区域（３１）は、好ましくはＸ字形であり、前側端部（３６）は互いに離れる方向に、後側端部（３８）は互いから離れる方向に曲がる。
【０１１１】
おむつ（１０）は、典型的には、おむつ（１０）の長手方向側縁部に沿った伸縮性バンド、いわゆるレッグカフ（２０）も含む。
【０１１２】
図２および５に示されるように、第１の伸縮性区域（３１）は、好ましくはＸ字形であり、伸縮性区域の各前側端部（３６）は、開口部（１４）の長手方向側縁部（１６）に（直接）隣接した伸縮性区域（３１）の部分（即ち、中央領域）を通り、且つトップシート（１１）の長手方向軸線に平行な長手方向線（３５）に対して、角度αを有する。この角度αは、伸長状態で、好ましくは約１０°〜４０°、より好ましくは２０°〜３０°である。伸縮性区域（３１）の各後側端部（３８）は、開口部（１４）の長手方向側縁部（１６）に（直接）隣接した伸縮性区域（３１）の部分を通る長手方向線（３５）に対して、角度βを有する。この角度βも伸長状態で、好ましくは約１０°〜４０°、より好ましくは２０°〜３０°である。
【０１１３】
第２の伸縮性区域（３２）は、開口部（１４）から離れる方向に湾曲して、開口部（１４）およびトップシート（１１）全体に機械横方向（ＣＤ）の弾性力をもたらし、また、ユーザの皮膚に対するトップシート（１１）のより良好な固着と、使用中の開口部（１４）と着用者（５０）の肛門（５１）および生殖器とのより良好な整列とを確実にする。
【０１１４】
図１、２、４、および５に示されるトップシート（１１）は、トップシート材料（１１）に幅寸法を有さない長手方向スリット（５８）を作ることで作製するのが好ましく、このスリット（５８）の前部からおむつ（１０）の前部に向かって延びる追加の前側切り取り部分（５５）を、トップシート材料（１１）から切り取る。これは、図３および６に更に示される。
【０１１５】
好ましくは、前側の切り取り部分（５５）は「菱形」形状にされるが、「菱形」形状の切り取り部分（５５）は、湾曲した前縁部を有することが好ましい。スリット（５８）からおむつ（１０）の前縁部まで真直ぐ延び、湾曲した前縁部をスリット（５８）と接続する側縁部は、好ましくは４０°〜１４０°、より好ましくは５５°〜１１０°の角度γ（図示なし）で互いに接続されるのが好ましい。
【０１１６】
図３は、更に、第２の伸縮性区域（３２）の端点と第２の伸縮性区域（３２）の最近点（即ち、第１の伸縮性区域（３１）に横断方向に最も近接したところ）とを通る円（曲線）を描き、前記円の中央点と、吸収性物品（１０）（および典型的にはトップシート）の長さＬの少なくとも０．３倍であって最大で物品（１０）の長さの３．２倍である前記円の半径（Ｒ）の長さとを決めることにより、第２の伸縮性区域（３２）の曲がりの半径（Ｒ）がどのように決まるかを示す。
【０１１７】
図７および８は、乳児に適用された、図１の好ましいおむつ（１０）の断面図を示し、乳児の肛門（５１）および臀部（５０）を示すとともに、伸縮性区域（３１、３２）が、どのように「固着」されるか、例えば使用中に乳児の皮膚にどのように取り付けられるか、またはそれと密接するかを示す。第２の伸縮性区域（３２）が存在することにより、開口部（１４）が肛門（５１）と一直線に並んだままであり、トップシート（１１）がユーザの皮膚に対して引張られることが更に確実となるので、糞便が漏れる危険性が更に低減される。
【０１１８】
引用したすべての文献は、関連部分において本明細書に参考として組み込まれるが、いずれの文献の引用も、それが本発明に対する従来技術であることを容認するものとして解釈されない。この文書における用語のあらゆる意味または定義が、参考として組み込まれる文献における用語のあらゆる意味または定義と対立する範囲内においては、本文書における用語に与えられた意味または定義が適用される。
【０１１９】
本発明の特定の実施形態を例示し記載してきたが、本発明の範囲内にある様々な他の変更および修正が当業者には明白であろう。
【図面の簡単な説明】
【０１２０】
【図１】本発明の２つの好ましい吸収性物品の斜視図。
【図２】図１および図４の２つの好ましい吸収性物品の平面図。
【図３】スリット開口部がどのようにトップシートに切り込まれ得るか、また第２の伸縮性区域の半径がどのように決定されるかを示す。
【図４】本発明の２つの好ましい吸収性物品の斜視図。
【図５】図１および図４の２つの好ましい吸収性物品の平面図。
【図６】スリット開口部がどのようにトップシートに切り込まれ得るか、また第２の伸縮性区域の半径がどのように決定されるかを示す。
【図７】乳児に適用された、使用中の図１の好ましいおむつを示す。
【図８】乳児に適用された、使用中の図１の好ましいおむつを示す。
【図１】
2008512204.tif 000003
【図２】
2008512204.tif 000004
【図３】
2008512204.tif 000005
【図４】
2008512204.tif 000006
【図５】
2008512204.tif 000007
【図６】
2008512204.tif 000008
【図７】
2008512204.tif 000009
【図８】
2008512204.tif 000010
【国際調査報告】
2008512204.tif 000011
2008512204.tif 000012